(57)【要約】  【課題】  簡単な構成で、余分な部品を設けることなく、ディスクの回転による振動や外的要因によりトレイギアが回転することを確実に防止した、ディスク装置を提供する。  【解決手段】  トレイが閉じてディスクの記録／再生或いはいわゆるシーク動作が可能となったとき、板バネ部６ｈの突起６ｈａが小径歯車部８ｂと係合している。この状態では、ディスクの振動や外的要因による力が発生しても、板バネ部６ｈの弾性力の働きにより、突起６ｈａと小径歯車部８ｂとの係合は外れないので、トレイギア８は回転しないようになっている。トレイを開く動作が開始されると、トレイギア８は左回転駆動され、小径歯車部８ｂが突起６ｈａを押圧する。このとき、板バネ部６ｈがトレイギア８から離隔する方向に撓むことにより、突起６ｈａと小径歯車部８ｂとの係合が外れ、トレイギア８が連続回転可能となる。【選択図】      図８
2007018665.tif 000002
【特許請求の範囲】
【請求項１】
装置本体に固定のシャーシと、モータの駆動により複数のギアを介して前記シャーシに
対して所定方向に昇降可能なトラバースメカと、光ピックアップを有するとともに前記ト
ラバースメカに設けられて前記モータの駆動により前記トラバースメカの昇降方向に略直
交する方向に移動可能なピックアップユニットとを有し、
前記トラバースメカの昇降の方向及び前記ピックアップユニットの移動方向に対して略
直交する方向に移動できるように前記シャーシに設けられたカムスライダーと、前記カム
スライダーとのカム係合により前記トラバースメカを昇降させるように前記トラバースメ
カに設けられたシフトレバーとを備えたディスク装置であって、
ディスクを搬送するトレイと、そのラック部に噛合して該トレイを駆動するトレイギア
を設け、ディスクを載置したトレイを前記装置本体内に移動させ、該装置本体内に設けた
クランパーと前記トラバースメカに設けたターンテーブルとの間に前記ディスクをクラン
プして、該ディスクに対して前記光ピックアップにより記録或いは再生を行うディスク装
置において、
前記トレイの閉動作時に、前記カムスライダーに設けた板バネ部の突起が前記トレイギ
アに係合することにより、前記トレイギアが回転しないようロックされるようにしてなり
、前記板バネ部は、前記カムスライダーのスライド方向で前記トレイギアに対し離隔する
方向に弾性変形可能である両持ち梁或いは片持ち梁よりなることを特徴とするディスク装
置。
【請求項２】
装置本体に固定のシャーシと、モータの駆動により複数のギアを介して前記シャーシに
対して所定方向に昇降可能なトラバースメカと、光ピックアップを有するとともに前記ト
ラバースメカに設けられて前記モータの駆動により前記トラバースメカの昇降方向に略直
交する方向に移動可能なピックアップユニットとを有し、
前記トラバースメカの昇降の方向及び前記ピックアップユニットの移動方向に対して略
直交する方向に移動できるように前記シャーシに設けられたカムスライダーと、前記カム
スライダーとのカム係合により前記トラバースメカを昇降させるように前記トラバースメ
カに設けられたシフトレバーとを備えたディスク装置であって、
ディスクを搬送するトレイと、そのラック部に噛合して該トレイを駆動するトレイギア
を設け、ディスクを載置したトレイを前記装置本体内に移動させ、該装置本体内に設けた
クランパーと前記トラバースメカに設けたターンテーブルとの間に前記ディスクをクラン
プして、該ディスクに対して前記光ピックアップにより記録或いは再生を行うディスク装
置において、
前記トレイの閉動作時に、前記カムスライダーに設けた板バネ部の突起が前記トレイギ
アに係合することにより、前記トレイギアが回転しないようロックされるようにしてなる
ことを特徴とするディスク装置。
【請求項３】
前記板バネ部は、前記カムスライダーのスライド方向で前記トレイギアに対し離隔する
方向に弾性変形可能であることを特徴とする請求項２に記載のディスク装置。
【発明の詳細な説明】
【技術分野】
【０００１】
本発明は、ＣＤ，ＤＶＤ等のディスクに対して記録或いは再生を行うディスク装置に関
するものであり、特に、トレイギアのロック構造に関するものである。
【背景技術】
【０００２】
従来より、ディスク装置として、ディスクを載置したディスクトレイを本体内に移動さ
せ、本体内に設けたディスクホルダ（クランパー）とターンテーブルとの間にディスクを
クランプして、ディスクに対して記録或いは再生を行うようにしたものが知られている。
この場合、ディスクの回転により生じる振動や、輸送中の振動等の外的要因による、スラ
イド部品の移動を規制し、ひいてはトレイギアの回転を防止するために、板バネ等のロッ
ク専用の部品が設けられている。
【０００３】
また、プレート部材に板バネとして働くリブ状の壁部を設け、これがラック部材のボス
と当接することにより、そのプレート部材のスライド移動を規制するようにしたものが、
特許文献１に開示されている。この構成においては、光ディスク装置の搬送等、装置の電
源がオフで光ピックアップが内周停止位置にあるとき、リブ状の壁部がラック部材のボス
と当接して、プレート部材のスライド移動を規制するため、光ディスク装置の搬送時に振
動等を与えても、プレート部材は位置ずれしないとしており、ひいてはトレイギアの回転
が防止されるものとしている。
【０００４】
或いは、輸送中の振動や衝撃によりカムスライダーが本来の位置から移動してしまうこ
との無いようにしたものが、特許文献２に開示されている。具体的には、カムスライダー
が捻りばねにより本来の位置、即ちトレイギアの小歯車部とカムスライダーのラック部と
が噛み合わない位置に保持されるように付勢されたものとしており、ひいてはトレイギア
の回転が防止されるものとしている。
【特許文献１】特開２００４−２８８３３３号公報（第５頁〜第６頁）
【特許文献２】特開２００４−２５３１３０号公報（第２１頁）
【発明の開示】
【発明が解決しようとする課題】
【０００５】
しかしながら、上述したような、スライド部品の移動を規制するロック専用の部品を設
けるような構成では、部品点数が増加してコストアップとなる上に、取り付けの不備や緩
み等が生じる可能性があり、トラブルの要因となる。
【０００６】
また、上述した従来の各構成においては、スライド部品の移動規制を弾性部材で行って
いるので、その付勢力に抗してスライド部品を移動させるためには、余分な駆動力が必要
となる上に、輸送中の振動や衝撃等により前記付勢力を超える力がスライド部品に加わっ
た場合には、忽ち移動規制が損なわれてしまう。
【０００７】
本発明は、以上のような問題点に鑑み、簡単な構成で、余分な部品を設けることなく、
ディスクの回転による振動や外的要因によりトレイギアが回転することを確実に防止した
、ディスク装置を提供することを目的とする。
【課題を解決するための手段】
【０００８】
上記目的を達成するために、本発明では、装置本体に固定のシャーシと、モータの駆動
により複数のギアを介して前記シャーシに対して所定方向に昇降可能なトラバースメカと
、光ピックアップを有するとともに前記トラバースメカに設けられて前記モータの駆動に
より前記トラバースメカの昇降方向に略直交する方向に移動可能なピックアップユニット
とを有し、前記トラバースメカの昇降の方向及び前記ピックアップユニットの移動方向に
対して略直交する方向に移動できるように前記シャーシに設けられたカムスライダーと、
前記カムスライダーとのカム係合により前記トラバースメカを昇降させるように前記トラ
バースメカに設けられたシフトレバーとを備えたディスク装置であって、ディスクを搬送
するトレイと、そのラック部に噛合して該トレイを駆動するトレイギアを設け、ディスク
を載置したトレイを前記装置本体内に移動させ、該装置本体内に設けたクランパーと前記
トラバースメカに設けたターンテーブルとの間に前記ディスクをクランプして、該ディス
クに対して前記光ピックアップにより記録或いは再生を行うディスク装置において、前記
トレイの閉動作時に、前記カムスライダーに設けた板バネ部の突起が前記トレイギアに係
合することにより、前記トレイギアが回転しないようロックされるようにしてなることを
特徴とする。
【０００９】
また、前記板バネ部は、前記カムスライダーのスライド方向で前記トレイギアに対し離
隔する方向に弾性変形可能であることを特徴とする。
【発明の効果】
【００１０】
本発明によれば、簡単な構成で、余分な部品を設けることなく、ディスクの回転による
振動や外的要因によりトレイギアが回転することを確実に防止した、ディスク装置を提供
することができる。
【発明を実施するための最良の形態】
【００１１】
以下、本発明の実施の形態について、図面を参照しながら説明する。
【実施例１】
【００１２】
図１は、本発明の実施例１に係るディスク装置のディスクローダーを示す図であり、ま
た図２は、同じディスク装置の主としてトラバースメカを示す図であって、それぞれ平面
図としている。このディスク装置は、ディスクを搬送するトレイ（不図示）と、トレイの
搬送方向（前後方向）に略垂直な方向に旋回して昇降可能なトラバースメカ２とがローダ
ーシャーシ１に設けられている。なお、ローダーシャーシ１は図示しない装置本体に固定
されている。
【００１３】
トラバースメカ２にはディスクの記録または再生を行う光ピックアップを有したピック
アップユニット３と、ピックアップユニット３をディスクの径方向に移動させるモータ４
とが設けられている。モータ４には複数の平ギヤから成る伝達手段５が取り付けられてお
り、モータ４の駆動力を減速して伝達する。伝達手段５がピックアップユニット３に形成
されたラック（不図示）と噛合することにより、モータ４によってピックアップユニット
３が移動できるようになっている。
【００１４】
また、伝達手段５は前方のトレイギア８と噛合し、トレイギア８はトラバースメカ２の
前方でローダーシャーシ１側に配されたカムスライダー６と噛合可能になっている。カム
スライダー６は、トラバースメカ２の前部に設けられたシフトレバー７とカム係合し、ト
レイの搬送方向（前後方向）及びトラバースメカ２の昇降方向と略直交する方向（左右方
向）に移動できる。これにより、トラバースメカ２が昇降する。更に、トレイギア８はト
レイに形成されたラックと噛合可能になっており、所定の時期にトレイギア８とトレイと
が連結して、モータ４の駆動力がトレイに伝達されるようになっている。
【００１５】
上記構成のディスク装置において、トレイにディスクが載置されると、モータ４の駆動
によりトレイがディスクローダー内に搬送される。トレイが所定位置に配されると、トレ
イとトレイギア８との連結が解除され、カムスライダー６とトレイギア８とが連結される
。カムスライダー６はトレイの搬送方向に垂直な方向（左右方向）に移動し、トラバース
メカ２を上昇させる。これにより、トラバースメカ２がディスクに係合してディスクがチ
ャックされる。
【００１６】
ディスクのチャック部を具体的に説明すると、ローダーシャーシ１の上側に左右方向に
渡って略長板状のクランパーホルダー９が架設されており、その中央には略円板状のクラ
ンパー１０が回転自在に設けられている。一方、図示しないスピンドルモータにより回転
駆動されるターンテーブル１１が、トラバースメカ２から上方に突設している。上述した
ディスクのチャック時には、トラバースメカ２が上昇することによりディスクの中心孔が
ターンテーブル１１に嵌合し、更にトラバースメカ２が上昇することによりディスクがタ
ーンテーブル１１とクランパー１０との間に挟み込まれる。
【００１７】
ディスクがチャックされると、トレイギア８とカムスライダー６との連結が解除され、
伝達手段５はピックアップユニット３と連結される。これにより、ピックアップユニット
３がディスクの径方向へ移動可能になり、ディスクの所定位置で記録または再生を行うこ
とができる。また、ディスクを取り出す際には上記と逆の動作が行われる。以下に、本発
明のディスク装置のトレイギアをロックするロック機構について説明する。
【００１８】
図３は、本実施例のロック機構を示す図であり、カムスライダーの上側斜視図である。
本実施例では同図に示すように、カムスライダー６の右側面に板バネ部６ｈを設けている
。板バネ部６ｈは、カムスライダー６のスライド方向でトレイギア８に対し離隔する方向
に弾性変形可能な両持ち梁となっており、その中央付近にはトレイギア８と係合する突起
６ｈａが設けられている。なお、このような板バネ部は、通常は樹脂金型成形により設け
られる。また、十分な弾性力を得られるのであれば、板バネ部を片持ち梁としても構わな
い。
【００１９】
ここで図４は、カムスライダー６の外観図であり、同図（ａ）は下面図、同図（ｂ）は
背面図、同図（ｃ）は平面図、同図（ｄ）は正面図である。なお、側面図は図示を省略し
ている。同図（ａ）に示すように、カムスライダー６の下面には、後述するトレイギア８
の大径歯車部８ａ上面に設けたカム溝Ｃに係合するボス６ｇが突設している。また、同図
（ｂ）に示すように、トラバースメカ２昇降用のカム溝６ｄ，６ｅが設けてあり、それぞ
れシフトレバー７のボス７ａ，７ｂ（図２参照）と係合する。
【００２０】
カム溝６ｄは、同図（ｄ）より分かるように、貫通孔となっており、一方、カム溝６ｅ
は有底のものとなっている。なお、６ｆはトレイギア８と噛合するラック部である。また
、カムスライダー６の左右端より下側に突設する側面視略Ｌ字状の係合部６ａ，６ｂは、
上記ローダーシャーシ１前部の左右に連設されるスリット１ａ，１ｂ（図１参照）にそれ
ぞれスライド可能に係合する。そして、上述したように、右側面には板バネ部６ｈが設け
られており、その中央付近にはトレイギア８と係合する突起６ｈａが設けられている。
【００２１】
ところで、図５〜図７は、カムスライダーをロックする一連の動作を示す図であり、平
面図で描いてある。トレイを閉じる動作が開始されると、まず、図５に示すように、カム
スライダー６のラック部６ｆとトレイギア８の小径歯車部８ｂとが噛み合い、トレイギア
８が右回転することにより、カムスライダー６が図の右側へとスライドする。更にトレイ
ギア８が回転すると、図６に示すように、カムスライダー６が更に図の右側へとスライド
し、トレイギア８の小径歯車部８ｂがラック部６ｆの左端付近に位置してこれから離れつ
つあるとともに、カムスライダー６のボス６ｇがトレイギア８のカム溝Ｃの中に入りつつ
ある状態となる。
【００２２】
更にトレイギア８が回転すると、図７に示すように、カムスライダー６のボス６ｇがト
レイギア８のカム溝Ｃの中に入り込み、ここでのカム駆動により、カムスライダー６が更
に図の右側へとスライドし、トレイギア８の小径歯車部８ｂがラック部６ｆから離れた状
態となる。このとき、図示しないトレイもシャーシ１に完全に引き込まれた状態となって
いる。
【００２３】
この状態では、振動等によりカムスライダー６が左右にスライドしようとしても、カム
溝Ｃの内壁にボス６ｇが当接するため、スライドが規制されて移動できなくなっており、
完全にロックされている。なお、この状態では、カムスライダー６の板バネ部６ｈがトレ
イギア８の小径歯車部８ｂに当接し、板バネ部６ｈの突起６ｈａが小径歯車部８ｂと係合
している。カムスライダーのロックを解除し、トレイを開く動作は、以上と逆の手順で行
われる。
【００２４】
さて、図８に改めて示すように、トレイが閉じてディスクの記録／再生或いはいわゆる
シーク動作が可能となったとき、上述したように、板バネ部６ｈの突起６ｈａが小径歯車
部８ｂと係合している。この状態では、ディスクの振動や外的要因による力が発生しても
、トレイギア８に大きなトルクが加わるわけではなく、板バネ部６ｈの弾性力の働きによ
り、突起６ｈａと小径歯車部８ｂとの係合は外れないので、トレイギア８は回転しないよ
うになっている。
【００２５】
次に、図９に示すように、トレイを開く動作が開始されると、トレイギア８は左回転駆
動され、小径歯車部８ｂが突起６ｈａを押圧する。このとき、板バネ部６ｈがトレイギア
８から離隔する方向に、同図の二点鎖線で示す状態から実線で示す状態へと撓むことによ
り、突起６ｈａと小径歯車部８ｂとの係合が外れ、トレイギア８が連続回転可能となる。
そして、上述したカムスライダーをロックする一連の動作とは逆の手順で、トレイを開く
動作が行われる。
【００２６】
以上説明したように、本発明によれば、余分な部品を設けることなく、既存の部品を利
用するのみで、トレイギアのロック機構を実現している。これにより、ディスクの回転に
よる振動や外的要因によりトレイギアが回転することが防止され、しかもこれをスムーズ
で確実に行うことが可能となる。
【図面の簡単な説明】
【００２７】
【図１】本発明の実施例１に係るディスク装置のディスクローダーを示す図。
【図２】ディスク装置の主としてトラバースメカを示す図。
【図３】本実施例のロック機構の上側斜視図。
【図４】カムスライダーの外観図。
【図５】カムスライダーをロックする一連の動作を示す図。
【図６】カムスライダーをロックする一連の動作を示す図。
【図７】カムスライダーをロックする一連の動作を示す図。
【図８】トレイが閉じて板バネ部の突起が小径歯車部と係合した状態を示す図。
【図９】板バネ部の突起と小径歯車部との係合が外れた状態を示す図。
【符号の説明】
【００２８】
１    ローダーシャーシ
２    トラバースメカ
３    ピックアップユニット
４    モータ
５    伝達手段
６    カムスライダー
７    シフトレバー
８    トレイギア
９    クランパーホルダー
１０    クランパー
１１    ターンテーブル
【図１】
2007018665.tif 000003
【図２】
2007018665.tif 000004
【図３】
2007018665.tif 000005
【図４】
2007018665.tif 000006
【図５】
2007018665.tif 000007
【図６】
2007018665.tif 000008
【図７】
2007018665.tif 000009
【図８】
2007018665.tif 000010
【図９】
2007018665.tif 000011